(57)【要約】【課題】隙間が生じ難く、気密性の高いマスクを提供する。【解決手段】  着用者の顔面の対象部位を覆うマスク本体部１と、マスク本体部１を着用者の右耳に係止するための右耳掛け部２と、マスク本体部１を着用者の左耳に係止するための左耳掛け部３と、を備えるマスク１００であって、マスク本体部１の上端縁１４に沿って延在し、左右方向に伸縮性を有する上部伸縮部材４と、マスク本体部１の下端縁１５に沿って延在し、左右方向に伸縮性を有する下部伸縮部材５と、を備え、上部伸縮部材４は、マスク本体部１の左右方向の中央部において、右上部伸縮部材４１と、左上部伸縮部材４２と、に分割され、下部伸縮部材５は、マスク本体部１の左右方向の中央部において、右下部伸縮部材５１と、左下部伸縮部材５２と、に分割されている。【選択図】図２
2018090919.tif 000002
【特許請求の範囲】
【請求項１】
着用者の顔面の対象部位を覆うマスク本体部と、当該マスク本体部を前記着用者の右耳に係止するための右耳掛け部と、当該マスク本体部を前記着用者の左耳に係止するための左耳掛け部と、を備えるマスクであって、
前記マスク本体部の上端縁に沿って延在し、左右方向に伸縮性を有する上部伸縮部材と、前記マスク本体部の下端縁に沿って延在し、左右方向に伸縮性を有する下部伸縮部材と、を備え、
前記上部伸縮部材は、前記マスク本体部の左右方向の中央部において、右上部伸縮部材と、左上部伸縮部材と、に分割され、
前記下部伸縮部材は、前記マスク本体部の左右方向の中央部において、右下部伸縮部材と、左下部伸縮部材と、に分割されていることを特徴とするマスク。
【請求項２】
前記右上部伸縮部材、前記左上部伸縮部材、前記右下部伸縮部材及び前記左下部伸縮部材は、前記マスク本体部の内部に備えられていることを特徴とする請求項１に記載のマスク。
【請求項３】
前記右上部伸縮部材、前記左上部伸縮部材、前記右下部伸縮部材及び前記左下部伸縮部材は、各々左右方向に張力が付与された状態で、左右方向両端部において前記マスク本体部に固定されていることを特徴とする請求項１又は２に記載のマスク。
【請求項４】
前記右耳掛け部及び前記左耳掛け部は伸縮性を有する素材により形成されており、前記右上部伸縮部材は前記右耳掛け部と一体的に形成され、前記左上部伸縮部材は前記左耳掛け部と一体的に形成されていることを特徴とする請求項１〜３の何れか一項に記載のマスク。
【請求項５】
前記右下部伸縮部材は前記右耳掛け部と一体的に形成され、前記左下部伸縮部材は前記左耳掛け部と一体的に形成されていることを特徴とする請求項４に記載のマスク。
【請求項６】
前記マスク本体部の右側端縁に沿って延在し、上下方向に伸縮性を有する右側部伸縮部材と、前記マスク本体部の左側端縁に沿って延在し、上下方向に伸縮性を有する左側部伸縮部材と、を備えていることを特徴とする請求項１〜５の何れか一項に記載のマスク。
【発明の詳細な説明】
【技術分野】
【０００１】
本発明は、着用者の顔面の鼻、口等を覆うマスクに関する。
【背景技術】
【０００２】
疾病時や花粉、黄砂等の粉塵飛来時、その他の日常生活において使用されるマスクとしては、マスク本体部がプリーツ状に形成され、着用時には上下方向に伸長させることを可能としたものが存在する。しかし、マスク本体部の横方向の形状は変化せず、着用者の顔面の形状に十分にフィットさせることが困難であることから、隙間が生じ易い。
そこで、このようなマスクにおいては、マスク本体部の上端に着用者の顔面の形状に合わせて変形させることができる金属片又は樹脂片を備え、これにより気密性を向上させることが多く、また、耳掛け用の紐をマスク本体部の上部に通し、当該紐の作用により、着用者の顔面に対するマスク本体部のフィット性を高めたものも存在している（例えば、特許文献１及び特許文献２参照）。
【先行技術文献】
【特許文献】
【０００３】
【特許文献１】特開２０１１−６２３７９号公報
【特許文献２】特開２０１４−２１７７３１号公報
【発明の概要】
【発明が解決しようとする課題】
【０００４】
しかしながら、上記特許文献１及び２記載のマスクにおいても、マスク本体部自体の左右方向の形状が変化することはないため、着用者の顔面に対するマスク本体部のフィット性は十分ではなく、特に着用者が顔面を動かした際には、十分な気密性を確保することが難しかった。
【０００５】
本発明は、隙間が生じ難く、気密性の高いマスクを提供することを目的とする。
【課題を解決するための手段】
【０００６】
上記課題を解決するために、請求項１に記載の発明は、
着用者の顔面の対象部位を覆うマスク本体部と、当該マスク本体部を前記着用者の右耳に係止するための右耳掛け部と、当該マスク本体部を前記着用者の左耳に係止するための左耳掛け部と、を備えるマスクであって、
前記マスク本体部の上端縁に沿って延在し、左右方向に伸縮性を有する上部伸縮部材と、前記マスク本体部の下端縁に沿って延在し、左右方向に伸縮性を有する下部伸縮部材と、を備え、
前記上部伸縮部材は、前記マスク本体部の左右方向の中央部において、右上部伸縮部材と、左上部伸縮部材と、に分割され、
前記下部伸縮部材は、前記マスク本体部の左右方向の中央部において、右下部伸縮部材と、左下部伸縮部材と、に分割されていることを特徴とする。
【０００７】
請求項２に記載の発明は、請求項１に記載のマスクにおいて、
前記右上部伸縮部材、前記左上部伸縮部材、前記右下部伸縮部材及び前記左下部伸縮部材は、前記マスク本体部の内部に備えられていることを特徴とする。
【０００８】
請求項３に記載の発明は、請求項１又は２に記載のマスクにおいて、
前記右上部伸縮部材、前記左上部伸縮部材、前記右下部伸縮部材及び前記左下部伸縮部材は、各々左右方向に張力が付与された状態で、左右方向両端部において前記マスク本体部に固定されていることを特徴とする。
【０００９】
請求項４に記載の発明は、請求項１〜３の何れか一項に記載のマスクにおいて、
前記右耳掛け部及び前記左耳掛け部は伸縮性を有する素材により形成されており、前記右上部伸縮部材は前記右耳掛け部と一体的に形成され、前記左上部伸縮部材は前記左耳掛け部と一体的に形成されていることを特徴とする。
【００１０】
請求項５記載の発明は、請求項４に記載のマスクにおいて、
前記右下部伸縮部材は前記右耳掛け部と一体的に形成され、前記左下部伸縮部材は前記左耳掛け部と一体的に形成されていることを特徴とする。
【００１１】
請求項６記載の発明は、請求項１〜５の何れか一項に記載のマスクにおいて、
前記マスク本体部の右側端縁に沿って延在し、上下方向に伸縮性を有する右側部伸縮部材と、前記マスク本体部の左側端縁に沿って延在し、上下方向に伸縮性を有する左側部伸縮部材と、を備えていることを特徴とする。
【発明の効果】
【００１２】
本発明によれば、マスク本体部に備えられた伸縮部材により、マスク本体部自体が伸縮することで、隙間が生じ難く、気密性の高いマスクを提供することができる。
【図面の簡単な説明】
【００１３】
【図１】実施形態に係るマスクを示す斜視図である。
【図２】実施形態に係るマスクを示す背面図である。
【図３】変形例１に係るマスクを示す背面図である。
【図４】変形例２に係るマスクを示す背面図である。
【図５】変形例３に係るマスクを示す背面図である。
【発明を実施するための形態】
【００１４】
以下、本発明の実施の形態たるマスクの具体的な態様について、図１ないし図５に基づいて説明する。ただし、本発明の技術的範囲は図示例に限定されるものではなく、あくまで特許請求の範囲の記載を基に判断される。
なお、以下においては、着用者がマスクを着用した状態における、マスクの顔面側を後、その反対側を前、上側を上、下側を下、着用者の右手側を右、着用者の左手側を左と定めて説明する。
【００１５】
（実施形態の構成）
（全体構成）
マスク１００は、例えば、使い捨てのプリーツ型のマスクであり、具体的には、図１及び図２に示すように、着用者の顔面の鼻、口、顎等を覆うマスク本体部１と、マスク本体部１を着用者の右耳に係止するための右耳掛け部２と、マスク本体部１を着用者の左耳に係止するための左耳掛け部３と、マスク本体部１の上部に備えられた上部伸縮部材４と、マスク本体部１の下部に備えられた下部伸縮部材５と、を備えている。
【００１６】
（マスク本体部）
マスク本体部１は、例えば、正面視にて略矩形状に形成され、上下方向に広げることが可能な複数のプリーツ１１・・・が形成されている。そして、マスク１００の着用時にはプリーツ１１・・・を上下方向に広げることにより、マスク本体部１が外側に膨出する山型の立体形状となって、着用者の顔面の鼻、口、顎等が覆われるようになっている。
【００１７】
また、マスク本体部１はシート材から形成されており、当該シート材としては、例えば、スパンボンド不織布、メルトブロー不織布等を用いることができる。マスク本体部１は、これらのシート材による一枚生地又は複数枚重ね合わせた生地により形成されている。
なお、マスク本体部１の製造方法は、公知の任意の構成を選択可能であるから、詳細な説明は省略する。
【００１８】
（耳掛け部）
マスク本体部１の右側端縁１２には右耳掛け部２が、左側端縁１３には、左耳掛け部３が備えられている。
右耳掛け部２及び左耳掛け部３は、例えば平紐等により形成され、また、ゴム紐等を用いて全体が伸縮性を有するよう形成されていてもよい。
右耳掛け部２の一端部はマスク本体部１の右側端縁１２の上部に、他端部はマスク本体部１の右側端縁１２の下部に、縫い付け、接着、溶着等の方法により固定されている。
また、左耳掛け部３の一端部はマスク本体部１の左側端縁１３の上部に、他端部はマスク本体部１の左側端縁１３の下部に、縫い付け、接着、溶着等の方法より固定されている。
【００１９】
（伸縮部材）
上部伸縮部材４及び下部伸縮部材５は、例えばポリウレタン等のゴム素材によって形成された、伸縮性を有する紐状の部材である。
【００２０】
上部伸縮部材４は、図２に示すように、マスク本体部１の上端縁１４に沿って備えられ、マスク本体部１の左右方向の中央部付近において、右上部伸縮部材４１及び左上部伸縮部材４２に分割されている。
また、下部伸縮部材５は、図２に示すように、マスク本体部１の下端縁１５に沿って備えられ、マスク本体部１の左右方向の中央部付近において、右下部伸縮部材５１及び左下部伸縮部材５２に分割されている。
【００２１】
右上部伸縮部材４１、左上部伸縮部材４２、右下部伸縮部材５１及び左下部伸縮部材５２は、マスク本体部１の内部に備えられている。具体的には、例えば、マスク本体部１がシート材を複数枚重ね合わせた生地により形成されている場合には、シート材の間に挟み込み、また、マスク本体部１が一枚の生地により形成されている場合には、その上部及び下部を折り返すことで折り返し部を形成し、当該折り返し部の内部に挟み込むことで、右上部伸縮部材４１、左上部伸縮部材４２、右下部伸縮部材５１及び左下部伸縮部材５２を、マスク本体部１内部に備えることができる。
【００２２】
また、右上部伸縮部材４１、左上部伸縮部材４２、右下部伸縮部材５１及び左下部伸縮部材５２は、各々左右方向両端部において、マスク本体部１と固定されている。すなわち右上部伸縮部材４１及び右下部伸縮部材５１は、マスク本体部１の左右方向の中央部付近及び右側端縁１２付近においてマスク本体部１に固定され、左上部伸縮部材４２及び左下部伸縮部材５２は、マスク本体部１の左右方向の中央部付近及び左側端縁１３付近において、マスク本体部１に固定されている。
【００２３】
右上部伸縮部材４１、左上部伸縮部材４２、右下部伸縮部材５１及び左下部伸縮部材５２は、引き延ばされ、所定の張力が付与された状態で、マスク本体部１に固定されている。また、右上部伸縮部材４１、左上部伸縮部材４２、右下部伸縮部材５１及び左下部伸縮部材５２のマスク本体部１に対する固定方法は、付与された張力によって剥離を生じない十分な強度で固定可能であれば、いかなる方法を用いてもよく、縫い付け、接着、溶着等の方法を用いることができる。
【００２４】
（実施形態の着用方法）
不使用時におけるマスク本体部１は、右上部伸縮部材４１、左上部伸縮部材４２、右下部伸縮部材５１及び左下部伸縮部材５２によって、上部及び下部が左右方向に縮んだ状態となっている。そこで、マスク１００の着用時には、着用者は、マスク本体部１の上部及び下部を左右に伸ばしつつ、マスク本体部１の後面側を着用者に向けてマスク本体部１を顔面に密着させ、右耳掛け部２を着用者の右耳に、左耳掛け部３を着用者の左耳にそれぞれ引っ掛ける。また、右耳掛け部２及び左耳掛け部３を引っ掛けた後には、マスク本体部１のプリーツ１１・・・を上下に引っ張り、マスク本体部１を前方に凸となる立体形状に変形させる。
【００２５】
（実施形態の効果）
本実施形態に係るマスク１００は、着用後、マスク本体部１の上部が、右上部伸縮部材４１及び左上部伸縮部材４２に付与された張力によって、着用者の顔面の形状に合致するように左右方向に収縮し、また、マスク本体部１の下部が、右下部伸縮部材５１及び左下部伸縮部材５２に付与された張力によって、着用者の顔面の形状に合致するように左右方向に収縮する。従って、マスクの上部及び下部において、隙間が生じ難くなる。
また、着用後に着用者が顔面を動かした際にも、顔面の動きに連動して、各伸縮部材が伸縮し、これによって、マスク本体部１の上部及び下部が左右方向に伸縮するため、マスク本体部１の上下に隙間が生じ難い。
また、上部伸縮部材４及び下部伸縮部材５が、マスク本体部１の中央部付近で左右に分割されて備えられていることから、マスク本体部１の左右が独立に伸縮することとなる。これにより、着用者の顔面の左右において異なる動きが生じた際にも、顔面とマスク本体部１との間に隙間が生じることを効果的に防止することができる。
また、顔面において凸状となっている鼻の頭頂部を中心としてマスク本体部１上部が収縮した場合、却って鼻の左右において隙間が生じてしまう場合があるが、マスク本体部１の左右方向中央部付近において上部伸縮部材４を分割することで、右上部伸縮部材４１及び左上部伸縮部材４２が各々着用者の頬を中心に収縮することとなるため、このような虞もなくなる。
【００２６】
（変形例１）
変形例１にかかるマスク１００Ａは、上部伸縮部材４Ａが、左右の耳掛け部と一体的に形成されたものである。すなわち、本変形例においては、右上部伸縮部材４１Ａと右耳掛け部２Ａとが単一の部材によって形成され、また、左上部伸縮部材４２Ａと左耳掛け部３Ａとが単一の部材によって形成されている。
【００２７】
まず、マスク本体部１右側においては、図３に示すように、ゴム紐等の伸縮性を有する紐状の部材の一端部が、マスク本体部１の右側端縁１２上部から、マスク本体部１内部に左右方向の中央部付近まで挿入されている。そして、同部材は、マスク本体部１内部において、引き伸ばされ所定の張力が付与された状態で、その先端部及び右側端縁１２上部の挿入部分付近において、マスク本体部１に固定されている。また同部材の他端部は、右側端縁１２下部に固定されている。
すなわち、変形例１に係るマスク１００Ａにおいては、単一の伸縮性を有する紐状の部材において、マスク本体部１Ａ内部に右側端縁１２上部から挿入された部分が右上部伸縮部材４１Ａとなり、マスク本体部１Ａ外部に存在する部分が右耳掛け部２Ａとなる。
【００２８】
また、マスク本体部１左側においては、図３に示すように、ゴム紐等の伸縮性を有する紐状の部材の一端部が、マスク本体部１の左側端縁１３上部から、マスク本体部１内部に左右方向の中央部付近まで挿入されている。そして、同部材は、マスク本体部１内部において、引き伸ばされ所定の張力が付与された状態で、その先端部及び左側端縁１３上部の挿入部分付近において、マスク本体部１に固定されている。また同部材の他端部は、左側端縁１３下部に固定されている。
すなわち、変形例１に係るマスク１００Ａにおいては、単一の伸縮性を有する紐状の部材において、マスク本体部１内部に左側端縁１３上部から挿入された部分が左上部伸縮部材４２Ａとなり、マスク本体部１外部に存在する部分が左耳掛け部３Ａとなる。
【００２９】
変形例１に係るマスク１００Ａによれば、上記の実施形態の効果に加え、右上部伸縮部材４１Ａと右耳掛け部２Ａとが一体的に伸縮し、また、左上部伸縮部材４２Ａと左耳掛け部３Ａとが一体的に伸縮することで、マスク１００Ａ上部において、生じる張力の均一化を図ることができ、着用者の負担を軽減することが可能となる。
【００３０】
（変形例２）
変形例２に係るマスク１００Ｂは、上部伸縮部材４Ｂ及び下部伸縮部材５Ｂが、左右の耳掛け部と一体的に形成されたものである。すなわち、本変形例においては、右耳掛け部２Ｂと右上部伸縮部材４１Ｂ及び右下部伸縮部材５１Ｂが単一の部材によって形成され、また、左耳掛け部３Ｂと左上部伸縮部材４２Ｂ及び左下部伸縮部材５２Ｂが単一の部材によって形成されている。
【００３１】
まず、マスク本体部１右側においては、図４に示すように、ゴム紐等の伸縮性を有する紐状の部材の一端部が、マスク本体部１の右側端縁１２上部から、マスク本体部１内部に左右方向の中央部付近まで挿入されている。また、同部材の他端部はマスク本体部１の右側端縁１２下部から、マスク本体部１内部に左右方向の中央部付近まで挿入されている。
そして、同部材は、両端部共に、マスク本体部１内部において、引き伸ばされ所定の張力が付与された状態で、その先端部及び右側端縁１２の挿入部分付近において、マスク本体部１に固定されている。
すなわち、本実施形態に係るマスク１００Ｂにおいては、単一の伸縮性を有する紐状の部材において、マスク本体部１内部に右側端縁１２上部から挿入された部分が右上部伸縮部材４１Ｂとなり、マスク本体部１内部に右側端縁１２下部から挿入された部分が、右下部伸縮部材５１Ｂとなり、マスク本体部１外部に存在する部分が右耳掛け部２Ｂとなる。
【００３２】
また、マスク本体部１左側においては、図４に示すように、ゴム紐等の伸縮性を有する紐状の部材の一端部が、マスク本体部１の左側端縁１３上部から、マスク本体部１内部に左右方向の中央部付近まで挿入されている。また、同部材の他端部はマスク本体部１の左側端縁１３下部から、マスク本体部１内部に左右方向の中央部付近まで挿入されている。
そして、同部材は、両端部共に、マスク本体部１内部において、引き伸ばされ所定の張力が付与された状態で、その先端部及び左側端縁１３の挿入部分付近において、マスク本体部１に固定されている。
すなわち、本実施形態に係るマスク１００Ｂにおいては、単一の伸縮性を有する紐状の部材において、マスク本体部１内部に左側端縁１３上部から挿入された部分が左上部伸縮部材４２Ｂとなり、マスク本体部１内部に左側端縁１３下部から挿入された部分が、左下部伸縮部材５２Ｂとなり、マスク本体部１外部に存在する部分が左耳掛け部３Ｂとなる。
【００３３】
変形例２に係るマスク１００Ｂによれば、上記の実施形態の効果に加え、右耳掛け部２Ｂと右上部伸縮部材４１Ｂ及び右下部伸縮部材５１Ｂが一体的に伸縮し、また、左耳掛け部３Ｂと左上部伸縮部材４２Ｂ及び左下部伸縮部材５２Ｂが一体的に伸縮することで、マスク１００Ｂの上部及び下部のいずれにおいても、生じる張力の均一化を図ることができ、着用者の負担を軽減することが可能となる。
【００３４】
（変形例３）
変形例３にかかるマスク１００Ｃは、図５に示すように、マスク本体部１の右側端縁１２に沿って右側部伸縮部材６が、左側端縁１３に沿って左側部伸縮部材７が備えられたものである。右側部伸縮部材６及び左側部伸縮部材７は、共に、例えばポリウレタン等のゴム素材によって形成された、伸縮性を有する紐状の部材である。
【００３５】
右側部伸縮部材６及び左側部伸縮部材７は、何れも右上部伸縮部材４１、左上部伸縮部材４２、右下部伸縮部材５１及び左下部伸縮部材５２と同様に、マスク本体部１の内部に備えられている。また、引き延ばされ所定の張力が付与された状態で、上下方向の両端部において、マスク本体部１に固定されている。
【００３６】
本実施形態に係るマスク１００Ｃによれば、上記実施形態の効果に加え、着用後のマスク１００Ｃにおけるマスク本体部１の左右両端部が、着用者の顔面の形状に合わせるように上下に収縮することとなり、マスク本体部１の側部に隙間が生じ難くなる。また、マスク本体部１の左右両端部が上下方向に伸縮性を有するため、装着者が顔面の頬付近を動かした際にも、マスク本体部１の側部に隙間が生じ難くなる。
【００３７】
（その他の変形例）
変形例３に係る図５においては、図２に記載の構成に右側部伸縮部材６及び左側部伸縮部材７を設けたものを記載したが、図３に記載の構成（変形例１）又は図４に記載の構成（変形例２）において、右側部伸縮部材６及び左側部伸縮部材７を設けることも可能である。
【００３８】
また、左右の耳掛け部と上下の伸縮部材が一体的に形成されていない場合においては、マスク本体部１と左右の耳掛け部を、耳を通す開口が形成された一枚のシートとして、一体的に形成することも可能である。
【００３９】
また、各伸縮部材とマスク本体部１との固定箇所は、通常の使用時には剥離しない強度を有することが必要であるが、マスク本体部１を左右方向又は上下方向に極めて強く引っ張った場合にのみ、剥離が生じるよう構成してもよい。
この場合、伸縮部材の効果が必要ない場合には、各伸縮部材とマスク本体部１との固定を外し、一般的なプリーツ型のマスクとして使用することが可能となる。
【符号の説明】
【００４０】
１  マスク本体部
１２  右側端縁
１３  左側端縁
１４  上端縁
１５  下端縁
２、２Ａ、２Ｂ  右耳掛け部
３、３Ａ、３Ｂ  左耳掛け部
４、４Ａ、４Ｂ  上部伸縮部材
４１、４１Ａ、４１Ｂ  右上部伸縮部材
４２、４２Ａ、４２Ｂ  左上部伸縮部材
５，５Ｂ  下部伸縮部材
５１、５１Ｂ  右下部伸縮部材
５２、５２Ｂ  左下部伸縮部材
６  右側部伸縮部材
７  左側部伸縮部材
１００、１００Ａ、１００Ｂ、１００Ｃ  マスク
【図１】
2018090919.tif 000003
【図２】
2018090919.tif 000004
【図３】
2018090919.tif 000005
【図４】
2018090919.tif 000006
【図５】
2018090919.tif 000007